(57)【要約】【課題】無線表示システムを使用可能にするための工程の数を減らし、ユーザの負担を軽減する。【解決手段】無線表示システム１０は、アクセスポイント１４と、動作状態とスリープ状態の間で切り替わる複数の表示器１６と、表示器１６と表示器１６に対応する商品１９との関連付けに関与する携帯端末１８と、を備える。表示器１６はそれぞれ、アクセスポイント１４と無線通信を行う表示器無線通信部５３と、表示器近距離無線通信部５４と、を有する。携帯端末１８は、表示器近距離無線通信部５４と近距離無線通信を行う端末近距離無線通信部６４、を有する。携帯端末１８は、近距離無線通信を介して表示器１６の表示器識別情報４１を取得するとともに、近距離無線通信を介して表示器１６をスリープ状態から動作状態へ切り替える。【選択図】図１
2019087194.tif 000002
【特許請求の範囲】
【請求項１】
表示データ送信器と、
動作状態とスリープ状態との間で切り替わる複数の表示器と、
前記表示器と前記表示器に対応する商品との関連付けに関与する携帯端末と、
を備え、
前記表示器はそれぞれ、
前記表示データ送信器と無線通信を行う表示器無線通信部と、
表示器近距離無線通信部と、
を有し、
前記携帯端末は、
前記表示器近距離無線通信部と近距離無線通信を行う端末近距離無線通信部、
を有し、
前記携帯端末は、前記近距離無線通信を介して前記表示器の個体識別情報を取得するとともに、前記近距離無線通信を介して前記表示器を前記スリープ状態から前記動作状態へ切り替える、
無線表示システム。
【請求項２】
前記表示データ送信器に接続されたサーバ、
をさらに備え、
前記携帯端末は、
前記商品の商品識別情報を読み取る読取部と、
前記サーバと無線通信を行う端末無線通信部と、
をさらに有する、
請求項１に記載の無線表示システム。
【請求項３】
前記携帯端末は、前記無線通信を介して前記サーバに前記個体識別情報及び前記商品識別情報を送信し、
前記表示器と前記商品との前記関連付けは、前記サーバが前記個体識別情報及び前記商品識別情報を対応付けて記憶することにより行われる、
請求項２に記載の無線表示システム。
【請求項４】
前記関連付けの解除は、前記サーバが、前記個体識別情報及び前記商品識別情報が対応付けられた前記記憶を消去することにより行われる、
請求項３に記載の無線表示システム。
【請求項５】
前記関連付けの前記解除がなされるとき、前記表示器が、前記動作状態から前記スリープ状態に切り替わる、
請求項４に記載の無線表示システム。
【発明の詳細な説明】
【技術分野】
【０００１】
本発明は、無線表示システムに関する。
【背景技術】
【０００２】
無線表示システムは、図形や文字などのデータを無線通信によってサーバから表示器へ送信し、表示器に表示させるものである。無線表示システムの一例は、電子棚札システムである。特許文献１（特開２０１６−１４３０７９号公報）に開示される電子棚札システムは、電子棚札がスリープ状態に入ることができる。スリープ状態のモードを設けることにより、電子棚札の輸送時又は保管時における電池の消耗が抑制される。
【発明の概要】
【発明が解決しようとする課題】
【０００３】
スリープ状態にある多数の表示器を、携帯端末を用いる等の手段によって動作状態に移行させる作業は、ユーザにとって負担である。
【０００４】
本発明の課題は、無線表示システムを使用可能にするための工程の数を減らし、ユーザの負担を軽減することである。
【課題を解決するための手段】
【０００５】
本発明の第１観点に係る無線表示システムは、表示データ送信器と、動作状態とスリープ状態との間で切り替わる複数の表示器と、表示器と表示器に対応する商品との関連付けに関与する携帯端末と、を備える。表示器はそれぞれ、表示データ送信器と無線通信を行う表示器無線通信部と、表示器近距離無線通信部と、を有する。携帯端末は、表示器近距離無線通信部と近距離無線通信を行う端末近距離無線通信部、を有する。携帯端末は、近距離無線通信を介して表示器の個体識別情報を取得するとともに、近距離無線通信を介して表示器をスリープ状態から動作状態へ切り替える。
【０００６】
この構成によれば、携帯端末が表示器の個体識別情報を取得する際に、携帯端末が表示器をスリープ状態から動作状態へ切り替える。したがって、表示器と商品との関連付けをする作業の際に表示器のスリープ状態の解除が伴うので、ユーザの負担が低減される。
【０００７】
本発明の第２観点に係る無線表示システムは、第１観点に係る無線表示システムにおいて、表示データ送信器に接続されたサーバ、をさらに備える。携帯端末が、商品の商品識別情報を読み取る読取部と、サーバと無線通信を行う端末無線通信部と、をさらに有する。
【０００８】
この構成によれば、携帯端末は商品識別情報を読み取り、その商品識別情報をサーバへ送信できる。したがって、携帯端末は商品識別情報と個体識別情報をサーバへ送ることができるので、商品と表示器との関連付けの準備を行うことができる。
【０００９】
本発明の第３観点に係る無線表示システムは、第２観点に係る無線表示システムにおいて、携帯端末が、無線通信を介してサーバに個体識別情報及び商品識別情報を送信する。表示器と商品との関連付けは、サーバが個体識別情報及び商品識別情報を対応付けて記憶することにより行われる。
【００１０】
この構成によれば、サーバが商品識別情報と個体識別情報を対応付けて記憶することにより、商品と表示器との関連付けが実現される。したがって、表示器は、当該表示器に相当する商品に関する情報を表示することができる。
【００１１】
本発明の第４観点に係る無線表示システムは、第３観点に係る無線表示システムにおいて、関連付けの解除は、サーバが、個体識別情報及び商品識別情報が対応付けられた記憶を消去することにより行われる。
【００１２】
この構成によれば、対応付けられた記憶をサーバが消去することによって、商品と表示器の関連付けが解除される。したがって、携帯端末又は表示器から、記憶の消去を命じるコマンドをサーバに送ることにより、関連付けの解除ができる。
【００１３】
本発明の第５観点に係る無線表示システムは、第４観点に係る無線表示システムにおいて、関連付けの解除がなされるとき、表示器が、動作状態からスリープ状態に切り替わる。
【００１４】
この構成によれば、関連付けの解除の際に表示器がスリープ状態へ切り替わる。したがって、表示器の電池の消耗を抑制できる。
【発明の効果】
【００１５】
本発明に係る無線表示システムによれば、無線表示システムを使用可能にするための工程の数を減らし、ユーザの負担を軽減することができる。
【図面の簡単な説明】
【００１６】
【図１】本発明の一実施形態に係る無線表示システム１０の構成を示す模式図である。
【図２】サーバ１２のブロック図である。
【図３】商品データベース３０及び電子棚札データベース４０の構成を示す模式図である。
【図４】商品棚１７の外観を示す模式図である。
【図５】表示器１６の外観を示す模式図である。
【図６】表示器１６のブロック図である。
【図７】携帯端末１８のブロック図である。
【発明を実施するための形態】
【００１７】
以下、本発明に係る無線表示システムの実施形態について、図面を用いて説明する。なお、本発明に係る無線表示システムの具体的な構成は、下記の実施形態に限られるものではなく、発明の要旨を逸脱しない範囲で適宜変更可能である。
【００１８】
＜第１実施形態＞
（１）全体構成
図１は、本発明に係る無線表示システム１０の構成を示す。無線表示システム１０は、電子棚札システムとして構成されている。電子棚札システムは、スーパーマーケット等の店舗内に設置されるネットワークである。電子棚札システムは、陳列される商品に関する情報を表示するために用いられる。
【００１９】
無線表示システム１０は、サーバ１２、複数のアクセスポイント１４、携帯端末用アクセスポイント１５、複数の表示器１６、携帯端末１８を含む。
【００２０】
（２）詳細構成
（２−１）サーバ１２
サーバ１２は、店舗のバックヤードに設置されるコンピュータである。サーバ１２は、無線表示システム１０の管理者、及び店舗のスタッフ等によって使用される。サーバ１２は、アクセスポイント１４及び携帯端末用アクセスポイント１５と有線接続される。サーバ１２は、アクセスポイント１４及び携帯端末用アクセスポイント１５を介して、表示器１６及び携帯端末１８とそれぞれ無線通信を行うことができる。
【００２１】
図２は、サーバ１２のブロック図である。サーバ１２は、制御部２０と、記憶部２１と、入力部２２と、出力部２３と、通信部２４を有する。制御部２０は、ＣＰＵ等の演算処理装置である。記憶部２１は、ＨＤＤ（ハードディスクドライブ）又はＳＳＤ（ソリッドステートドライブ）等の記憶装置である。記憶部２１は、制御部２０が実行するプログラム、及び制御部２０が処理に用いるデータ等を記憶する。データには、商品データベース３０及び電子棚札データベース４０が含まれる。入力部２２は、キーボード等の入力装置である。出力部２３は、ディスプレイ等の出力装置である。通信部２４は、アクセスポイント１４及び携帯端末用アクセスポイント１５との通信を媒介するネットワークインターフェイス機器である。
【００２２】
図３は、商品データベース３０及び電子棚札データベース４０の構成を示す。
【００２３】
商品データベース３０は、店舗で販売される商品の管理に用いられる。商品データベース３０には、商品識別情報３１（商品ＩＤ）及び商品情報３２が対応付けて格納される。商品識別情報３１は、商品の品目ごとに一意的に付与される文字列である。商品識別情報３１は、商品の種類を識別する情報である。商品情報３２は、商品に関する情報である。商品情報３２には、例えば、名称３２ａ、価格３２ｂ、製造者３２ｃ、消費期限３２ｄ、値札デザイン３２ｅ等が含まれる。名称３２ａ、価格３２ｂ、製造者３２ｃ、消費期限３２ｄはテキストデータである。値札デザイン３２ｅは画像データである。
【００２４】
電子棚札データベース４０は、表示器１６の管理に用いられる。電子棚札データベース４０は、表示器識別情報４１（表示器ＩＤ）及び商品識別情報４２が対応付けて記憶される。表示器識別情報４１は、表示器１６ごとに一意的に付与される文字列である。表示器識別情報４１は、表示器１６の個体を識別する個体識別情報である。商品識別情報４２は、表示器１６と対応付けて陳列される商品の識別情報であり、商品データベース３０の商品識別情報３１の中から選択される。このようなデータ構造により、表示器１６と商品は関連付けてサーバ１２の記憶部２１の中に記憶される。
【００２５】
（２−２）アクセスポイント１４
図１に示すアクセスポイント１４は、サーバ１２と表示器１６の間の通信を中継する。アクセスポイント１４は、サーバ１２と有線接続され、かつ、表示器１６と無線接続される。店舗内には、複数のアクセスポイント１４が設置される。これにより、店舗内の全ての表示器１６が、いずれかのアクセスポイント１４と無線通信できる。アクセスポイント１４は、表示器１６が表示すべきデータを表示器１６に対して送信する表示データ送信器として機能する。
【００２６】
（２−３）携帯端末用アクセスポイント１５
携帯端末用アクセスポイント１５は、サーバ１２と携帯端末１８の間の通信を中継する。携帯端末用アクセスポイント１５は、サーバ１２と有線接続され、かつ、携帯端末１８と無線接続される。
【００２７】
本実施形態では、携帯端末用アクセスポイント１５は、アクセスポイント１４とは別の機器である。これに代えて、１つのアクセスポイント１４が、携帯端末用アクセスポイント１５の機能を併せ持っていてもよい。
【００２８】
（２−４）表示器１６
表示器１６は、商品に関する情報を顧客に提示する。表示器１６は、内臓のバッテリーから供給される電力で動作する。図４は、表示器１６が取り付けられた商品棚１７の外観を示す。商品棚１７は、商品１９を陳列するためのものである。表示器１６は、商品棚１７に陳列された１種類の商品１９について、情報を提示する。図５は、表示器１６の外観を示す。表示器１６の正面には、表示部５２が設けられている。
【００２９】
図６は、表示器１６のブロック図である。表示器１６は、制御部５０、記憶部５１、表示部５２、表示器無線通信部５３、表示器近距離無線通信部５４を有する。制御部５０は、ＣＰＵ等の演算処理装置である。制御部５０は、記憶部５１、表示部５２、表示器無線通信部５３、表示器近距離無線通信部５４を制御する。記憶部５１は、書き換え可能な不揮発性メモリからなる。表示部５２は、消費電力が低いディスプレイであり、例えば電子ペーパからなる。電子ペーパは、表示の維持に電力を消費しないので、表示を頻繁に変更しない場合にはバッテリーの交換を要しない。
【００３０】
表示器無線通信部５３は、アクセスポイント１４との無線通信を媒介するネットワークインターフェイス機器である。表示器近距離無線通信部５４は、携帯端末１８との通信を媒介するネットワークインターフェイス機器である。表示器近距離無線通信部５４の通信可能距離は、表示器無線通信部５３の通信可能距離よりも短い。表示器近距離無線通信部５４は、例えばＮＦＣ（Near Field Communication）インターフェイスである。ＮＦＣは、約１０ｃｍの至近距離でデータ通信を行うための無線通信の国際標準の一つである。表示器近距離無線通信部５４は、バッテリーから電力の供給を受けない。表示器近距離無線通信部５４は、後述する携帯端末１８の端末近距離無線通信部６４から受ける電磁波に起因する電磁誘導によって、動作に必要な電力を得る。
【００３１】
表示器１６は、動作状態とスリープ状態の２つのモードの間で切り替わる。動作状態では、制御部５０、記憶部５１、表示部５２、表示器無線通信部５３、表示器近距離無線通信部５４の全てが動作する。一方、スリープ状態では、制御部５０、記憶部５１、表示部５２、表示器無線通信部５３は省電力を目的として、最小限の動作を行う。スリープ状態において、表示器近距離無線通信部５４は通常の動作が可能である。
【００３２】
（２−５）携帯端末１８
携帯端末１８は、店舗が所有する端末である。店舗のスタッフは、携帯端末１８を用いて、表示器１６と商品との関連付けを実行し、又は関連付けの解除を実行することができる。
【００３３】
図７は、携帯端末１８のブロック図である。携帯端末１８は、制御部６０、記憶部６１、表示部６２、端末無線通信部６３、端末近距離無線通信部６４、バーコード読取部６５を有する。制御部６０は、ＣＰＵ等の演算処理装置である。制御部６０は、記憶部６１、表示部６２、端末無線通信部６３、端末近距離無線通信部６４、バーコード読取部６５を制御する。記憶部６１は、不揮発性メモリ等の記憶装置である。記憶部６１は、制御部６０が実行するプログラム、及び制御部６０が処理に用いるデータ等を記憶する。表示部６２は例えば液晶ディスプレイである。
【００３４】
端末無線通信部６３は、携帯端末用アクセスポイント１５と無線通信を行う。端末近距離無線通信部６４は、表示器１６の表示器近距離無線通信部５４と近距離無線通信を行うように構成されたＮＦＣチップである。バーコード読取部６５は、商品の包装に付されているＪＡＮコード等のバーコードを読み取るための機器である。
【００３５】
（３）表示器１６を使用可能にする動作
携帯端末１８の操作をトリガとして、商品１９と表示器１６の関連付けをサーバ１２に行わせることができる。
【００３６】
（３−１）表示器識別情報４１の取得
まず、ユーザは携帯端末１８を表示器１６に近づける。表示器１６が動作状態にある場合、携帯端末１８の端末近距離無線通信部６４は、表示器１６の表示器近距離無線通信部５４と通信を行う。これにより、携帯端末１８は、その表示器１６の表示器識別情報４１を取得する。
【００３７】
（３−２）スリープ解除
上述の「（３−１）表示器識別情報４１の取得」において、表示器１６がスリープ状態にある場合、表示器識別情報４１の取得に加えて、携帯端末１８は表示器１６に対し、スリープ状態から動作状態へ切り替わることを命じるコマンドを端末近距離無線通信部６４から発する。表示器１６は表示器近距離無線通信部５４からそのコマンドを受信し、スリープ状態から動作状態へ切り替わる。
【００３８】
（３−３）バーコードの取得
次に、ユーザは携帯端末１８を商品１９に近づける。それによって、携帯端末１８のバーコード読取部６５が商品１９に印刷されたバーコードを読み取る。
【００３９】
（３−４）関連付け
携帯端末１８は、表示器識別情報４１及び商品識別情報４２、すなわちバーコードの内容を端末無線通信部６３からサーバ１２へ送信する。サーバ１２は、表示器識別情報４１と商品識別情報４２を受信し、それらを対応付けて記憶する。これにより、表示器１６と商品１９との関連付けが実現する。
【００４０】
（３−５）値札デザイン３２ｅの送信
サーバ１２は、複数の表示器識別情報４１と、それに対応する商品識別情報４２を記憶している。それぞれの商品識別情報４２には、対応する値札デザイン３２ｅが存在する。サーバ１２は、関連付けを実現した表示器１６の表示器識別情報４１に対応する値札デザイン３２ｅを、その表示器１６へ送信する。次いで、表示器１６は受信した値札デザイン３２ｅを表示部５２に表示する。
【００４１】
以上の要領で、表示器１６が使用可能な状態になる。
【００４２】
（４）表示器１６を不使用にする動作
携帯端末１８の操作をトリガとして、商品１９と表示器１６の関連付けの解除をサーバ１２に行わせることができる。
【００４３】
（４−１）表示器識別情報４１の取得
まず、ユーザは携帯端末１８を表示器１６に近づける。表示器１６が動作状態にある場合、携帯端末１８の端末近距離無線通信部６４は、表示器１６の表示器近距離無線通信部５４と通信を行う。これにより、携帯端末１８は、その表示器１６の表示器識別情報４１を取得する。
【００４４】
（４−２）関連付けの解除
携帯端末１８は、表示器識別情報４１を端末無線通信部６３からサーバ１２へ送信する。サーバ１２は、表示器識別情報４１を受信し、その表示器識別情報４１に設定されている商品識別情報４２との対応付けの記憶を削除する。これにより、表示器１６と商品１９との関連付けが解除される。
【００４５】
（４−３）表示内容のリセット
表示器１６の制御部５０は、表示部５２の表示内容を消去する。
【００４６】
（４−４）スリープ移行
商品１９との関連付けが解除された場合、表示器１６をスリープ状態に移行させてもよい。この場合、サーバ１２がスリープ移行コマンドを、通信部２４から表示器１６へ送信する。スリープ移行コマンドを受信した表示器１６は、スリープ状態へ移行する。
【００４７】
（５）特徴
（５−１）
携帯端末１８が表示器１６の表示器識別情報４１を取得する際に、携帯端末１８が表示器１６をスリープ状態から動作状態へ切り替える。したがって、表示器１６と商品１９との関連付けをする作業の際に表示器１６のスリープ解除が伴うので、ユーザの負担が低減される。
【００４８】
（５−２）
携帯端末１８は商品識別情報４２を読み取り、その商品識別情報４２をサーバ１２へ送信できる。したがって、携帯端末１８は商品識別情報４２と表示器識別情報４１をサーバ１２へ送ることができるので、商品１９と表示器１６との関連付けの準備を行うことができる。
【００４９】
（５−３）
サーバ１２が商品識別情報４２と表示器識別情報４１を対応付けて記憶することにより、商品１９と表示器１６との関連付けが実現される。したがって、表示器１６は、当該表示器１６に相当する商品１９に関する値札デザイン３２ｅを表示することができる。
【００５０】
（５−４）
対応付けられた記憶をサーバ１２が消去することによって、商品１９と表示器１６の関連付けが解除される。したがって、携帯端末１８から、記憶の消去を命じるコマンドをサーバ１２に送ることにより、関連付けの解除ができる。
【００５１】
（５−５）
関連付けの解除の際に表示器１６がスリープ状態へ切り替わる。したがって、表示器１６の電池の消耗を抑制できる。
【００５２】
（６）変形例
以下に、上記実施形態の変形例を示す。複数の変形例を組み合わせてもよい。
【００５３】
（６−１）
上記実施形態では、表示器１６の表示部５２には、画像データである値札デザイン３２ｅが表示される。これに代えて、表示部５２には、テキストデータである名称３２ａ、価格３２ｂ、製造者３２ｃ、消費期限３２ｄなどが表示されてもよい。
【００５４】
（６−２）
上記実施形態では、商品１９と表示器１６の関連付けの解除は、携帯端末１８から発されるコマンドにより開始される。これに代えて、関連付けの解除は、表示器１６によって開始されてもよい。例えば、表示器１６には関連付けの解除のためのボタンを有しており、ユーザがボタンを押すと、表示器１６が表示器無線通信部５３からコマンドをサーバ１２に送ってもよい。
【符号の説明】
【００５５】
１０    ：無線表示システム
１２    ：サーバ
１４    ：アクセスポイント
１５    ：携帯端末用アクセスポイント
１６    ：表示器
１８    ：携帯端末
１９    ：商品
２０    ：制御部
２１    ：記憶部
２２    ：入力部
２３    ：出力部
２４    ：通信部
３０    ：商品データベース
３１    ：商品識別情報
３２    ：商品情報
４０    ：電子棚札データベース
４１    ：表示器識別情報
４２    ：商品識別情報
５０    ：制御部
５１    ：記憶部
５２    ：表示部
５３    ：表示器無線通信部
５４    ：表示器近距離無線通信部
６０    ：制御部
６１    ：記憶部
６２    ：表示部
６３    ：端末無線通信部
６４    ：端末近距離無線通信部
６５    ：バーコード読取部
【先行技術文献】
【特許文献】
【００５６】
【特許文献１】特開２０１６−１４３０７９号公報
【図１】
2019087194.tif 000003
【図２】
2019087194.tif 000004
【図３】
2019087194.tif 000005
【図４】
2019087194.tif 000006
【図５】
2019087194.tif 000007
【図６】
2019087194.tif 000008
【図７】
2019087194.tif 000009